(57)【要約】【課題】入金するリジェクト紙幣の真性を向上する。【解決手段】正常でない紙幣として紙幣リジェクト口１０５に搬送された紙幣が存在し、かつ操作者が該紙幣を入金すると判断した場合、紙幣入金口１０４から該紙幣を再度入金し鑑別部３０５で、前記の鑑別よりも精緻性を落とした鑑別方式によってリジェクト紙幣を鑑別し、入金可能と判断した紙幣を一時貯留部１１１に搬送し、一時貯留部扉１０６を開け、装置の操作パネル２００に具備するプリンタで入金操作者のＩＤや操作時間、前記入金可能と判断した枚数を含むバーコードが印字された封筒を発行し、該入金可能と判断した紙幣を該封筒に封入して一時貯留部１１１にセットし、一時貯留部扉１０６を閉じると、該封筒のバーコードを一時貯留部１１１内部のバーコードリーダ１１０でバーコードの真偽判定し、真と判断された場合に紙幣金庫１０７へ入金する。【選択図】図１
2011086211.tif 000002
【特許請求の範囲】
【請求項１】
入金処理時に紙幣入金口から入金された紙幣を鑑別部で鑑別し、正常な紙幣と正常でない紙幣の２種類に選別し、正常な紙幣について紙幣金庫への入金が可能な現金処理装置において、前記鑑別処理の精緻性において２段階以上の種類を有する鑑別機能を装備し、最も精緻な鑑別処理においてリジェクトされた紙幣について、精緻性の段階を落とした鑑別において紙幣としての特徴を有すると判断した場合に、該紙幣を紙幣金庫へ入金可能とする現金処理装置。
【請求項２】
請求項１記載の現金処理装置において、精緻性を落とした鑑別によって入金可能と判断した紙幣を紙幣金庫に入金する際に、装置の操作者と入金する紙幣の金種、枚数を記載した封筒に該紙幣を封入し、紙幣金庫への入金を可能とすることを特徴とする現金処理装置。
【請求項３】
操作者を特定するＩＤカードを読み取る機能と、入金する現金の金種、枚数、金額をバーコードで印字した封筒を出力する機能と、該封筒に印刷されたバーコードの真偽性を判定し真であると判定した封筒を金庫への収納可能とする機能を有する現金処理装置において、該封筒に現金を封入して金庫へ収納することによって金庫内の現金を回収する際に入金した操作者の特定が容易となることを特徴とする現金処理装置。
【発明の詳細な説明】
【技術分野】
【０００１】
本発明は、小売店などの売上金を入金するために設置される現金処理装置に関するものである。
【背景技術】
【０００２】
本技術分野に関わる従来の技術としては、小売店の店舗などに設置されたレジスタから回収した現金の入金処理を行う現金処理装置において、回収した現金を現金受入口に投入し、鑑別部によって鑑別および計数し、現金収納庫に格納する入金機能を要し、その入金処理の過程で鑑別部において金種が不明としてリジェクトされた紙幣がある場合、入金担当者が該リジェクト紙幣を入金するための所定の機器操作を実施し、入金担当者が該リジェクト紙幣の金種・枚数を確認して機器に入力し紙幣入金口に該リジェクト紙幣を再投入することで、前記正常に集計された紙幣を正規収納金庫へ入金し、該リジェクト紙幣をリジェクト紙幣専用金庫に入金することが可能な技術が提案されている。
【先行技術文献】
【特許文献】
【０００３】
【特許文献１】特開２００８−６５６６号公報（段落「０００３」〜段落「００３１」、図１、図３）
【発明の概要】
【発明が解決しようとする課題】
【０００４】
前記従来の技術においては、紙幣入金時に汚損などにより鑑別部で入金不可と判定されたリジェクト紙幣についてリジェクトの理由を問わずに該紙幣を入金可能とするため、真偽性が疑わしい紙幣を入金処理してしまう可能性がある。
【課題を解決するための手段】
【０００５】
本発明では、現金処理装置にて入金処理時に紙幣入金口にセットされた紙幣を分離搬送機構により搬送し、該機構に内蔵する鑑別部にてセットされたすべての紙幣の鑑別を実施し正常な紙幣は紙幣金庫へ入金した後、該入金処理において紙幣リジェクト口へ搬送された紙幣枚数１枚以上あり、操作者が該リジェクト紙幣を入金すると判断し、該現金処理装置にて任意の操作をした場合、分離搬送機構に内蔵する鑑別部の判定方式を鑑別対象が紙幣としての特徴、例えば一定の磁気レベルを有するかのみを判定するように設定変更し、該リジェクト紙幣を再度紙幣入金口にセットして鑑別することで紙幣の特徴を有するものと、有さないものに分離し、特徴を有する紙幣の枚数を特定して紙幣金庫への入金を可能とするものである。
【発明の効果】
【０００６】
本発明により、入金時に一旦はリジェクトされた紙幣を鑑別方式を変更して再判定して入金可能な紙幣を選別し、紙幣金庫へ入金することが可能となるため、真偽性が疑わしい紙幣を排除して紙幣金庫への収納することが可能となる。
【図面の簡単な説明】
【０００７】
【図１】現金処理装置の側面方向からの縦断面図。
【図２】現金処理装置の外観図。
【図３】現金処理装置のブロック図。
【図４】現金処理装置のシステム例。
【図５】入金処理の手順フローチャート（その１）。
【図６】入金処理の手順フローチャート（その２）。
【図７】入金処理の手順フローチャート（その３）。
【図８】入金処理の手順フローチャート（その４）。
【発明を実施するための形態】
【０００８】
以下、図面に従って本発明による現金入金処理の実施例を説明する。
【０００９】
図１は、本発明を具現化する現金処理装置の例を右側面方向から見たものである。装置の上部には、本装置全体を制御する主制御部１０１、装置の前面には上段から、本装置の操作するための操作パネル２００、入金する紙幣１０２をセットする紙幣入金口１０４、リジェクトされた紙幣が搬送される紙幣リジェクト口１０５、正常紙幣が搬送される一時貯留部１１１の前面に設けられた一時貯留部扉１０６、一時貯留部１１１の下に紙幣金庫シャッタ１１３を隔て、紙幣を収納する紙幣金庫１０７を備える。装置内部には、主制御部１０１の下に紙幣入金口１０４から紙幣１０２を一枚づつ分離しながら取り込み順次搬送する分離搬送機構１０８、同機構内に内蔵され紙幣を搬送する搬送モータ３０４と搬送路３０５、搬送された紙幣を鑑別する鑑別部１０９、鑑別によってリジェクトされた紙幣をスタックする紙幣リジェクト口１０５、鑑別によって正常紙幣として判定された紙幣が搬送される一時貯留部１１１、一時貯留部１１１の上部にはバーコードリーダ１１０を装備する。バーコードリーダ１１１の用途については後述する。
【００１０】
図２は、現金処理装置１００の外観図である。操作パネル２００には、入金処理の状況や入金された紙幣の金種や枚数、および操作者への指示などを表示する表示部２０４、操作者が本装置を制御するためのキーボード２０１、操作者を特定するＩＤ情報を読み取るＩＤカードリーダ２０２、入金処理の結果やリジェクト紙幣入金時にバーコード入りの封筒を印字するプリンタ２０３を装備する。紙幣入金口１０４、紙幣リジェクト口１０５、一時貯留部扉１０６、については図１で説明した通りである。
【００１１】
図３は、現金処理装置１００のブロック図である。主制御部１０１には本装置全体の制御を司るＣＰＵ３０２、入金処理においてカウントした紙幣の金種や枚数、紙幣金庫１０７への投入金額などを記憶するメモリ３０３を装備している。主制御部１０１には、前述のキーボード２０１、ＩＤカードリーダ２０２、プリンタ２０３、表示部２０４、が接続されＣＰＵ３０２によって各々制御される。通信装置４２２は本装置に収納された現金情報を外部システムへ通知するための装置で、ＣＰＵ３０２によって制御される。外部システムとの関連については、図４で説明する。
【００１２】
分離搬送機構１０８の内蔵機器、および紙幣金庫１０７についても主制御部１０１のＣＰＵ３０２によって制御される。
【００１３】
図３、分離搬送機構１０８の内蔵機器である鑑別部１０９には紙幣を鑑別するための様々なセンサ類が搭載されが、本事例では代表的なセンサであるＣＣＤ３０６と磁気センサ３０７を記載した。また鑑別部１０９には、鑑別モード切替スイッチ３０８を有しており、該スイッチがオフであると鑑別対象である紙幣をＣＣＤ３０６と磁気センサ３０７の両方を用いて紙幣を鑑別し、正常な紙幣と判定した場合に、一時貯留部１１１へ該紙幣を搬送し、異常であれば紙幣リジェクト口１０５へ搬送する。一方、鑑別モード切替スイッチ３０８がオンの場合、磁気センサ３０７のみを動作させて紙幣の磁気レベルのみを判定し、正常であれば一時貯留部１１１へ該紙幣を搬送し、異常であれば紙幣リジェクト口１０５へ搬送するものとする。尚、本実施例では、ＣＣＤ３０６と磁気センサ３０７によって紙幣を鑑別する例で説明しているが、それ以外のデバイスを用いて紙幣の鑑別してもよい。
【００１４】
図３、同じく分離搬送機構１０８の内蔵機器である一時貯留部１１１に搭載される一時貯留部扉１０６は、入金処理時は通常閉じた状態であるが、一時貯留部１１１内部に保持された紙幣を取り出したい場合などに、主制御部１０１のＣＰＵ３０２によって開閉を制御できるようになっている。
【００１５】
図１で図示したように一時貯留部１１１と紙幣金庫１０７の間に位置する紙幣金庫シャッタ１１３は、一時貯留部１１１に蓄積した紙幣を紙幣金庫１０７へ投下する際に開閉する扉であり、主制御部１０１のＣＰＵ３０２によって制御する。
【００１６】
図３、一時貯留部１１１に内蔵するバーコードリーダ１１０は、リジェクト紙幣入金時に一時貯留部１１１にセットされる封筒に印字されたバーコードを読み取るための装置であり、詳細は後述する。
【００１７】
図４は現金処理装置を利用したオンラインシステムの例である。
【００１８】
店舗Ａ４２１には、本発明による現金処理装置１００が設置されており、通信装置４２２によって通信網４５０に接続されている。通信網４５０には現金処理装置１００を管理する組織が運営する管理センタ４０１内の管理サーバ４０２が通信装置４０３を介して接続されている。また、通信網４５０には、金融機関４１１が運営する金融サーバ４１２が通信装置４１３を介して接続されている。金融サーバ４１２には、店舗Ａ４２１が開設した金融口座である店舗Ａ口座４１４がある。
【００１９】
図４において、現金処理装置１００にて現金の入金操作がされると、通信装置４２２から通信網４５０を経由し、通信装置４０３を介して管理サーバ４０２に入金金額が通知される。管理センタ４０１は、管理サーバ４０２に通知された入金情報に従って、通信装置４０３から通信網４５０を経由し通信装置４１３を介して金融サーバ４１２に存在する店舗Ａ口座に入金金額を振り込みが行えるものである。
【００２０】
図５、図６、図７、図８は、本発明を用いた現金処理装置による入金処理の実施例を一連の処理としてフローチャートで記述したものである。以下、図に従って説明する。
【００２１】
店舗Ａ４２１の操作者は、現金処理装置１００のＩＤカードリーダ２０２にＩＤカードを通す。ＩＤカードには操作者を特定する一意なＩＤコードが入っており、ＩＤコードは主制御部１０１のメモリ３０３に記録される（Ｆ５００）。
【００２２】
操作者は、現金処理装置１００の紙幣入金口１０４に入金したい紙幣１０２をセットする（Ｆ５０１）。その後、現金処理装置１００の操作パネル２００にあるキーボード２０１を操作して計数処理を開始する（Ｆ５０２）。
【００２３】
前記、計数処理開始の際に主制御部１０１のＣＰＵ３０２は、鑑別部１０９の鑑別モード切替スイッチをオフにセットする（Ｆ５０３）。
【００２４】
計数処理が開始されると、現金処理装置１００の分離搬送機構１０８は搬送モータ３０４を回転させ、紙幣入金口１０４にセットされた紙幣１０２を１枚づつ搬送路３０５に搬送する（Ｆ５０４）。紙幣１０２は、搬送路３０５の途中に装備された鑑別部１０９のＣＣＤ３０６と磁気センサ３０７によって鑑別し（Ｆ５０５）正常紙幣であれば、メモリ３０３に正常紙幣の金種と枚数をカウントし（Ｆ５０７）、該カウント情報を元に表示部２０４にカウント済みの金種と枚数、合計金額などを表示し（Ｆ５０８）、該正常紙幣を一時貯留部１１１へ搬送する（Ｆ５０９）。また、鑑別部１０９にて判定（Ｆ５０５）した結果、異常と判断された場合は、リジェクト枚数をカウントし、該紙幣は紙幣リジェクト口１０５へ搬送する（Ｆ５０６）。
【００２５】
前記の紙幣搬送処理は、紙幣入金口１０４にセットされた紙幣１０２がゼロ枚になるまで繰返し実施する（Ｆ５１０）。
【００２６】
紙幣入金口１０４にセットされた紙幣１０２がなくなると（Ｆ５１０）、ＣＰＵ３０２は、一時貯留部１１１に紙幣があるか否かをメモリ３０３に記録された正常紙幣の枚数によって判定し（Ｆ５１１）、紙幣がある場合は、正常な紙幣を紙幣金庫１０７へ収納するか否かを操作者に問い合わせる（Ｆ５１２）。このとき、操作者が収納しないと判断すると、ＣＰＵ３０２は、一時貯留部扉１０６を開放して一時貯留部１１１へ搬送した紙幣をすべて返却し（Ｆ５１３）、入金処理を終了する（Ｆ５１４）。
【００２７】
前記紙幣金庫へ入金するか否かの判断（Ｆ５１２）で操作者が収納すると判断した場合、ＣＰＵ３０２は一時貯留部１１１に搬送した紙幣の金種と枚数を紙幣金庫への投入金額としてメモリ３０３に記憶し、一時貯留部１１１の紙幣金庫シャッタ１１３を開閉して、一時貯留部１１１の紙幣を紙幣金庫１０７に投下する（Ｆ６００）。
【００２８】
前記紙幣の投下（Ｆ６００）の後、または前記一時貯留部１１１に搬送された紙幣があるか否かの判定（Ｆ５１１）において紙幣がなしであった場合、ＣＰＵ３０２は、メモリ３０３に記録したリジェクト紙幣枚数によって紙幣リジェクト口に搬送された紙幣があるか否かを判定し（Ｆ６０１）、もしあれば操作者にリジェクト紙幣を入金するか否かを問い合わせる（Ｆ６０２）。
【００２９】
前記問合せ（Ｆ６０２）に対し操作者が入金すると判断した場合、操作者は紙幣リジェクト口１０５に搬送されたリジェクト紙幣を紙幣入金口１０４にセットし（Ｆ６０３）、操作パネルのキーボード２０１を操作することによって、リジェクト紙幣の計数を開始する（Ｆ６０４）。ＣＰＵ３０２は、前記リジェクト紙幣の計数を開始する操作（Ｆ６０４）が実施された場合、鑑別部１０９の鑑別モード切替スイッチ３０８にオンする（Ｆ６０５）。
【００３０】
計数処理が開始されると、現金処理装置１００の分離搬送機構１０８は搬送モータ３０４を回転させ、紙幣入金口１０４にセットされた紙幣１０２を１枚づつ搬送路３０５に搬送する（Ｆ６０６）。紙幣１０２は、搬送路３０５の途中に装備された鑑別部１０９の磁気センサ３０７にて鑑別し（Ｆ６１３）、紙幣が磁気特性を有するならば（Ｆ６０７）、メモリ３０３に正常枚数をカウントし（Ｆ６０９）、該カウント情報を表示部２０４に表示し（Ｆ６１０）、該正常紙幣を一時貯留部１１１へ搬送する（Ｆ６１１）。また、鑑別（Ｆ６１３）にて、磁気特性を有さないと判断された場合（Ｆ６０７）、紙幣１０２を紙幣リジェクト口１０５へ搬送する（Ｆ６０８）。
【００３１】
前記の紙幣の分離搬送処理は、紙幣入金口１０４にセットされた紙幣１０２がなくなるまで繰返し実施する（Ｆ６１２）。
【００３２】
紙幣入金口１０４にセットされた紙幣１０２がなくなると（Ｆ６１２）、ＣＰＵ３０２は、一時貯留部１１１に紙幣があるか否かをメモリ３０３に記録した正常枚数によって判定し（Ｆ７００）、紙幣がある場合は一時貯留部扉１０６を開ける（Ｆ７０１）。
【００３３】
操作者は一時貯留部１１１内部の紙幣を取り出して金種と各々の枚数を確認し（Ｆ７０２）、キーボード２０１で金種、枚数の情報を入力する（Ｆ７０３）。
【００３４】
前記入力（Ｆ７０３）が完了したら、ＣＰＵ３０２は操作者のＩＤと入力された金種、枚数をバーコード情報に変換してプリンタ２０３を用いて該バーコードが印刷された封筒を出力する（Ｆ７０４）。
【００３５】
操作者は、出力された封筒に前記一時貯留部１１１から取り出して枚数を確認（Ｆ７０２）した紙幣を封入し（Ｆ７０５）、該封筒を一時貯留部１１１にセットして一時貯留部扉１０６を閉じる（Ｆ７０６）。
【００３６】
前記、一時貯留部扉１０６が閉じられると、ＣＰＵ３０２は一時貯留部１１１上部に装備されたバーコードリーダ１１０によって封筒のバーコードを読取り（Ｆ７０７）、バーコードの情報が正しいこと、すなわち直前に封筒に印字した情報と同一であることを判定し（Ｆ７０８）、正しい場合ＣＰＵ３０２は、前記操作者によってキー入力された金種、枚数の情報を紙幣金庫への投入金額としてメモリ３０３に記憶し（Ｆ８１０）、紙幣金庫シャッタ１１３を開けて一時貯留部１１１の封筒を紙幣金庫に投下する（Ｆ８００）。
【００３７】
尚、前記バーコードの判定（Ｆ７０８）において、正しくない場合、すなわち直前に封筒に印字した内容と異なる場合は、不正な操作が行われたものと判断し、一時貯留部扉１０６を開けて紙幣入りの封筒を操作者に返却する。
【００３８】
次に、ＣＰＵ３０２は、メモリ３０３に記録された入金処理開始以降の紙幣金庫への投入金額を集計し（Ｆ８０１）、投入金額があるか否かを判定し（Ｆ８０２）、投入金額ありの場合は投入金額を通信装置４２２、通信網４５０、通信装置４０３を介して管理センタ４０１の管理サーバ４０２へ通知し（Ｆ８０３）、入金処理を終了する。
【００３９】
また前記投入金額の判定（Ｆ８０２）で投入金額がない場合は、前記管理センタ４０１への通知なしで入金処理を終了する。
【００４０】
以上が、本発明を用いた現金処理装置における入金処理の実施例の説明である。
【００４１】
尚、本実施例では管理センタ４０１への通知（Ｆ８０３）後に、管理センタ４０１から金融機関４１１への振込処理を実施することを説明していないが、前記図４の説明で述べたように、管理センタ４０１から金融機関４１１の店舗Ａ口座４１４へ投入金額分の振込処理をしてもよい。
【符号の説明】
【００４２】
１００…現金処理装置、１０１…主制御部、１０２…紙幣、１０４…紙幣入金口、１０５…紙幣リジェクト口、１０６…一時貯留部扉、１０７…紙幣金庫、１０８…分離搬送機構、１０９…鑑別部、１１０…バーコードリーダ、１１１…一時貯留部、１１３…紙幣金庫シャッタ、２００…操作パネル、２０１…キーボード、２０２…ＩＤカードリーダ、２０３…プリンタ、２０４…表示部、３０２…ＣＰＵ、３０３…メモリ、３０４…搬送モータ、３０５…搬送路、３０６…ＣＣＤ、３０７…磁気センサ、３０８…鑑別モード切替スイッチ、４０１…管理センター、４０２…管理サーバ、４０３…通信装置、４１１…金融機関、４１２…金融サーバ、４１３…通信装置、４１４…店舗Ａ口座、４２１…店舗Ａ、４２２…通信装置、４５０…通信網。
【図１】
2011086211.tif 000003
【図２】
2011086211.tif 000004
【図３】
2011086211.tif 000005
【図４】
2011086211.tif 000006
【図５】
2011086211.tif 000007
【図６】
2011086211.tif 000008
【図７】
2011086211.tif 000009
【図８】
2011086211.tif 000010